(57)【要約】      （修正有）【課題】保育器フード用カバーとして好適な光制御シートを提供する。【解決手段】光制御シート１０は、長尺状のシート１２が芯部材１１の周囲に巻き取られたロール状のものである。長尺状のシート１２は、熱可塑性樹脂及び着色成分を含む樹脂組成物からなり、波長６５０ｎｍ以下の光を遮断できるものである。使用時には、必要量だけを取り出せるよう、一定間隔にて、所定長さに切断するための幅方向に延ばされた破断線を有している。【選択図】図２
2011183024.tif 000002
【特許請求の範囲】
【請求項１】
熱可塑性樹脂及び着色成分を含む樹脂組成物からなる、波長６５０ｎｍ以下の光を遮断できる長尺状のシートが芯部材の周囲に巻き取られたロール状のものである、使い捨て型の光制御シート。
【請求項２】
前記長尺状のシートが、一定間隔にて、所定長さに切断するための幅方向に延ばされた破断線を有している、請求項１記載の光制御シート。
【請求項３】
前記長尺状のシートが、一定間隔にて、所定長さに切断するための幅方向に延ばされた破断線を有しており、さらに前記破断線に沿って形成された複数の穴を有している、請求項１記載の光制御シート。
【請求項４】
前記長尺状のシートが、一定間隔にて、所定長さに切断するための幅方向に延ばされた破断線を有しており、長さ方向の一辺又は両辺に沿って形成された複数の穴を有している、請求項１記載の光制御シート。
【請求項５】
ロール状の光制御シートが、開閉自在の取出口を有する包装材又は包装容器にて包装されている、請求項１〜４のいずれか１項記載の光制御シート。
【請求項６】
保育器フード用カバーとして使用する、請求項１〜５のいずれか１記載の光制御シート。
【発明の詳細な説明】
【技術分野】
【０００１】
本発明は、未熟児の保育環境を改善するための保育器フード用カバーとして適している、波長６５０ｎｍ以下の光を遮断できる長尺状のシートからなる光制御シートに関する。
【背景技術】
【０００２】
未熟児（出生時の体重が２５００ｇ以下の新生児）や超未熟児（出生時の体重が１０００ｇ未満の新生児）は、出生後、保育器内で保育されることになるため、保育器の機能や使い易さは重要となる。
【０００３】
特許文献１には、保育器のフード内に収容されている新生児に対して光線治療器を用いて疾病の治療及び／又は予防を行う際に用いられる保育器のフード用カバーに関する発明が記載されている。具体的には、光線療法用の第１の光（５２０ｎｍ付近の波長の光を最も多く含み４４０ｎｍ付近の波長の光をその次に多く含んでいる）の透過率が相対的に低く、第１の光と補色関係にある第２の光（６１０ｎｍ付近の波長の光）の透過率が相対的に高い透光性材料からなり、第１及び第２の光を通過させるための開口部が設けられている保育器のフード用カバーである。
【０００４】
特許文献２には、閉鎖式新生児保育器に使用するプラスチックフードにおいて、少なくとも一部が光触媒（酸化チタン系触媒）を含むポリマー材料で構成されたプラスチックフードが記載されており、プラスチックフードに曇り防止と同時に抗菌性を付与することが記載されている。
【０００５】
特許文献３には、新生児を収容するベッド部を覆う保護カバーを、構成成分として導電性金属酸化物（導電性酸化亜鉛、導電性酸化錫、錫ドーピング酸化インジウム等）を含有するガラスで形成した保育器が記載されており、保護カバーが可視光線のみを透過し、放射線や電磁波などを効果的に遮断することが記載されている。
【先行技術文献】
【特許文献】
【０００６】
【特許文献１】特開平１０−２２５４８７号公報
【特許文献２】特開２００２−１１３０５３号公報
【特許文献３】特開２００２−１５３５２３号公報
【特許文献４】特開２００７−８９８２９号公報
【発明の概要】
【発明が解決しようとする課題】
【０００７】
現在、日本国内の病院の新生児室は、看護士が常時新生児に目を配り、緊急事態にも即座に対応できるように終日点灯されていることが多いため、昼夜の区別がない状態になっている。しかし、このような光環境（恒明条件）は、新生児の生物時計や睡眠覚醒リズムの健全な発達の観点からは望ましくなく、特に超未熟児及び未熟児については、発育を阻害する要因にもなっていると考えられる。
【０００８】
よって、看護士による看護環境の維持と超未熟児及び未熟児に対する悪影響を排除できるような手段が求められており、このような課題を解決するものとして、本願の筆頭発明者は、先に特定波長の光を遮断できるシート状又は箱状の保育器フード用カバーの発明を提供している（特許文献４）。
【０００９】
本発明は、特許文献４の発明をさらに改良したものであり、特に使い易さの向上と、衛生面の観点からの改良をすることで、特に未熟児の保育環境を改善するための保育器フード用カバーとして好適な光制御シートを提供することを課題とする。
【課題を解決するための手段】
【００１０】
本発明は、課題の解決手段として、
熱可塑性樹脂及び着色成分を含む樹脂組成物からなる、波長６５０ｎｍ以下の光を遮断できる長尺状のシートが芯部材の周囲に巻き取られたロール状のものである、使い捨て型の光制御シートを提供する。
【発明の効果】
【００１１】
本発明の光制御シートは、波長６５０ｎｍ以下の光を遮断できる長尺状のシートが芯部材の周囲に巻き取られたロール状のものであることから、保存管理が容易である。そして、使用時には、必要量だけを取り出して使用すれば良いので、使い易さの点で優れている。さらに光制御シート自体を無菌状態で製造することができる上、使い捨て型であることから、衛生面でも優れている。
【図面の簡単な説明】
【００１２】
【図１】本発明の光制御シートの斜視図。
【図２】本発明の別実施形態である光制御シートの斜視図。
【図３】本発明のさらに別実施形態である光制御シートの斜視図。
【図４】本発明のさらに別実施形態である光制御シートの斜視図。
【図５】（ａ）は図１の軸方向断面図、（ｂ）は他実施形態の軸方向断面図、（ｃ）はさらに他実施形態の軸方向断面図。
【図６】本発明のさらに別実施形態である光制御シートの斜視図。
【図７】本発明のさらに別実施形態である光制御シートの斜視図。
【図８】本発明の光制御シートを適用できる保育器フードの斜視図。
【発明を実施するための形態】
【００１３】
＜熱可塑性樹脂及び着色成分を含む樹脂組成物からなる長尺状のシート＞
本発明の光制御シートで用いる長尺状のシートは、熱可塑性樹脂及び顔料、染料等の着色成分を含む樹脂組成物を用い、公知の樹脂成形法を適用して製造することができる。
【００１４】
熱可塑性樹脂としては、ポリエチレン、ポリプロピレン、ポリブテン等のポリオレフィン、ポリ塩化ビニル、ポリ塩化ビニリデン、ポリウレタン、ポリエステル、ポリアミド、アクリル樹脂、メタクリル樹脂等を用いることができる。
【００１５】
顔料としては、従来から熱可塑性樹脂の着色に使用されている公知の有機顔料及び無機顔料から選ばれるものを用いることができる。
有機顔料としては、アゾレーキ、ハンザ系、ベンズイミダゾロン系、ジアリライド系、ピラゾロン系、イエロー系、レッド系等のアゾ系顔料 ；フタロシアニン系、キナクリドン系、ペリレン系、ペリノン系、ジオキサジン系、アントラキノン系、イソインドリノン系等の多環系顔料、アニリンブラック等を挙げることができる。
無機顔料としては、酸化チタン、チタンイエロー、酸化鉄、群青、コバルトブルー、酸化クロムグリーン、黄鉛、カドミウムイエロー、カドミウムレッド等の無機顔料、カーボンブラック顔料（ケッチェンブラック、ファーネスブラック、チャンネルブラック、アセチレンブラック等）を挙げることができる。
【００１６】
その他、必要に応じて、分散剤、充填剤、助色剤、安定剤、可塑剤、改質剤、熱安定剤、紫外線吸収剤又は光安定剤、酸化防止剤、帯電防止剤、離型剤、結晶促進剤、結晶核剤、及び耐衝撃性改良用のエラストマー等を配合することができる。
【００１７】
熱可塑性樹脂と顔料の配合量は、顔料の種類や色に応じて、透明性を維持したまま、波長６５０ｎｍ以下（例えば４００〜６００ｎｍ）の光を遮断できるように調整する。
【００１８】
本発明で用いる樹脂組成物は、上記各成分を、ヘンシェルミキサー、タンブラーブレンダー、ニーダー等の混合機で予備混合した後、押出機で混練したり、加熱ロール、バンバリーミキサーで溶融混練したりすることによって製造することができる。
【００１９】
本発明の光制御シートで用いる長尺状のシートは、上記した樹脂組成物を用い、Ｔ−ダイ成形等の公知のシート成形法を適用して得ることができる。
【００２０】
本発明の光制御シートで用いる長尺状のシートは、特開平６−１８４９８７号公報、特開平７−２７５２８９号公報、特開２００１−３５６２１２号公報、特開２００５−１２６６２４号公報に記載された遮光性材料を利用することもできる。また本発明の光制御シートで用いる長尺状のシートは、商品名レーザカーテン（山本光学（株）製）、商品名サンマイルドＧＹ−５１Ｒ（リンテック（株）製）を用いることもできる。
【００２１】
本発明の光制御シートで用いる長尺状のシートは、波長６５０ｎｍ以下（例えば４００〜６００ｎｍ）の光を８０％以上遮断できることが好ましく、より好ましくは８５％以上、更に好ましくは９０％以上、特に好ましくは９５〜１００％遮断できるものである。
【００２２】
本発明の光制御シートで用いる長尺状のシートは、異なる波長の光を遮断するフィルムを複数枚積層したものでもよいし、基材となる透明シートや透明板（いずれも波長６５０ｎｍ以下の光を遮断しないもの）上に、波長６５０ｎｍ以下の光を遮断できる１枚又は２枚以上のフィルム又は異なる波長の光を遮断するフィルムを複数枚積層したものを貼り付けたものでもよい。
【００２３】
本発明の光制御シートで用いる長尺状のシートは、透明なものである。透明度は、例えば、保育器フードに被せたときでも、目視にて、新生児室内又は新生児室外のガラス窓越に保育器内の新生児の状態が容易に観察できるものである。
【００２４】
＜光制御シート＞
本発明の光制御シートは、上記した長尺状のシートが芯部材の周囲に巻き取られたロール状のものである。以下、図面により説明する。
【００２５】
図１は、本発明の光制御シート１０の斜視図である。図１では、円筒状の芯部材１１の周囲に巻き取られた長尺状シート１２の先端部１２ａが少しだけ引き出された状態が示されている。光制御シート１０は、必要量の長尺状シート１２を引き出して、所望の長さに切断して使用される。
【００２６】
長尺状シート１２の幅や厚さは、用途に応じて調整されるものであり、例えば、保育器フード用カバーとして用いるときには、幅は５０〜１５０ｃｍ程度、厚さは０．１〜１０ｍｍ程度が好ましい。
【００２７】
図２は、本発明の別実施形態である光制御シート１０Ａの斜視図である。図２では、円筒状の芯部材１１の周囲に巻き取られた長尺状シート１２が引き出された状態が示されている。
【００２８】
図２の光制御シート１０Ａは、所望の長さ位置において切断するための幅方向に延ばされた破断線１３を有している。この破断線１３は、人が手で引っ張ることで容易にシートが破断できるようにされている。
【００２９】
図３は、本発明の別実施形態である光制御シート１０Ｂの斜視図である。図３では、円筒状の芯部材１１の周囲に巻き取られた長尺状シート１２が引き出された状態が示されている。
【００３０】
図３の光制御シート１０Ｂは、図２と同様の破断線１３を有しており、さらに破断線１３に沿って、破断線１３の前後において幅方向に形成された複数の穴１４ｂ、１４ｃを有している。図３では、先端部１２ａにも幅方向に形成された複数の穴１４ａを有している。これらの穴１４ａ、１４ｂ、１４ｃは、例えば、壁、天井、その他の適当な支持台等の固定部に取り付けられたフックに引っ掛けるための穴として使用できる。
【００３１】
図４は、本発明の別実施形態である光制御シート１０Ｃの斜視図である。図４では、円筒状の芯部材１１の周囲に巻き取られた長尺状シート１２が引き出された状態が示されている。
【００３２】
図４の光制御シート１０Ｃは、図２と同様の破断線１３を有しており、さらに長さ方向の両辺に沿って形成された複数の穴１５ａ、１５ｂを有している。これらの穴１５ａ、１５ｂは、例えば、壁、天井、その他の適当な支持台等の固定部に取り付けられたフックに引っ掛けるための穴として使用できる。
【００３３】
光制御シートは、図３と図４に示すそれぞれの穴を全て有する実施形態にすることもできる。
【００３４】
図１に示す光制御シート１０は、図５（ａ）に示すように、芯部材１１の周囲に長尺状シート１２が巻き取られた状態のものであるが、図５（ｂ）に示すように、さらに支持部材２０と組み合わせることもできる。
【００３５】
支持部材２０は、両側の円板部２１ａ、２１ｂの間に支持軸２２が掛け渡された構造のものであり、支持軸２２が芯部材１１の中空部を通っている。なお、円板部２１ａ、２１ｂの一方又は両方は、ねじ込み等の手段により、支持軸２２に対して着脱自在になっている。
【００３６】
さらに図５（ｃ）に示すように、両側の円板部２１ａ、２１ｂと一体になった握り部３０を有するものにすることもできる。握り部３０は、着脱自在に長さ方向に分割できるようになっている。
【００３７】
＜包装形態の光制御シート＞
次に、図６（ａ）、（ｂ）と図１により、包装形態の光制御シートを説明する。図６（ａ）、（ｂ）は、包装形態の光制御シート１００の斜視図である。
【００３８】
図６（ａ）は、図１に示す光制御シート１０が、紙、プラスチックフィルム等の包装材１０１で密閉包装された形態のものである。包装材１０１は、図６（ａ）に示す形状の紙（厚紙）、プラスチックフィルム等からなる成形容器にしてもよい。
【００３９】
包装材１０１は、幅方向にスリット状に形成された、開閉自在の取出口１０２を有しており、図５（ａ）は取出口１０２が閉じられた状態が示されている。
【００４０】
図６（ｂ）は、取出口１０２を開いた状態であり、この状態にて、長尺状シート１２の先端部１２ａを引っ張って、図１に示すように取り出す。使い終わった後は、取出口１０２を閉じることで、再度密閉状態にすることができる。取出口１０２と、取出口１０２に正対する包装材１０１の一方又は両方には、開閉自在になるように、接着と剥離を繰り返すことができる接着剤層を形成したり、マジックテープを取り付けたりすることもできる。
【００４１】
なお、図２〜４に示す光制御シート１０Ａ、１０Ｂ、１０Ｃを図６に示すように包装してもよい（容器に収容してもよい）。また、図１〜４に示す光制御シート１０等が、図５（ｂ）、（ｃ）で示す形態になるように包装されたもの（容器に収納されたもの）でもよい。
【００４２】
次に、図７により、別の包装形態の光制御シートを説明する。図７は、別の包装形態である光制御シート２００の斜視図である。
ロール状に巻き取られた長尺状シート１２は、本体２０１と蓋２０２からなる箱容器２０３内に収納されている。蓋２０２には、カッター２０４が固定されている。
【００４３】
光制御シート２００は、使用前は箱容器２０３内に収容されており、使用時には、蓋２０２を開放して、長尺状シート１２を取り出した後、カッター２０４にて、必要長さだけ切断して使用する。
【００４４】
＜光制御シートの使用方法＞
本発明の光制御シートは、必要量だけ取り出して使用することができるため、非常に使い易く、使い捨てであることから、衛生面においても望ましいものである。
【００４５】
次に、図１と図８により、本発明の光制御シートを保育器フード用カバーとして使用する場合の実施形態を説明する。図８は、一般的な保育器の斜視図である。
【００４６】
保育器１は、台座２の上に透明なフード３が着脱自在に取り付けられたものであり、フード３内で新生児が保育される。差し込み穴４、５、扉６は、医師乃至看護士がフード３を取り外すことなく、内部に手を差し込んで新生児を保育するためのものである。
【００４７】
光制御シート１０を保育器フード用カバーとして使用するときは、フード３の全面（天井面３ａ、側面３ｂ〜側面３ｅ）又は一部面を覆うことができる大きさであればよい。
【００４８】
フード３の全面を覆うときは、差し込み穴４、５、扉６の部分には、対応する大きさの開口部を設けておき、保育作業性が損なわれないようにすることが望ましい。
【００４９】
フード３の一部面を覆うときは、保育器の設置場所と照明器具の位置を考慮して、光の照射量が多い面を覆うようにすることができる。例えば、照明が側面３ｃ側から当たっている場合には、少なくとも天井面３ａと側面３ｃが保光制御シート１０で覆われるようにする。図３に示す光制御シート１０Ｂを使用するときは、天井に取り付けられたフックに穴１４ａ等を引っ掛けて、カーテンのようにして使用することもできる。
【００５０】
その他、図３、４に示す形態の光制御シート１０Ｂ、１０Ｃは、例えば、それらが有する穴と適当な固定部（フックを有しているもの）を利用することで、保育器１の上に平らな屋根を形成するように張り渡して使用することもできる。
【００５１】
また、保育器１の台座２にフックを取り付けて、そこに光制御シート１０Ｂ、１０Ｃの穴を引っ掛けて使用することもできる。
【００５２】
また、図５（ｃ）に示すような形態のものを使用すると、例えば、シート１２の先端部１２ａを固定した状態で（穴をフックに引っ掛けた状態で）、握り部３０を握った状態で引っ張ることにより、簡単にシート１２を引き出すことができるので、より使い易くなる。
【００５３】
新生児室は、看護の必要性から、照明により終日明るく保たれているため、照明器具からは、常時、可視光線（波長が約４００〜７８０ｎｍの範囲の光）が照射され続けており、この可視光線（特に波長６５０ｎｍ以下の光）が終日照射されることが、新生児の発育に悪影響を与えるおそれがある。
【００５４】
つまり、人の眼の網膜内側には、メラノプシン（明暗情報をキャッチする光受容体）を持った網膜節細胞が存在しているが、終日、波長６５０ｎｍ以下の光が網膜節細胞に到達された場合、網膜下床下部路を経て、生物時計の本体である脳視床下部の視交叉上核（SCN；suprachiasmatic nucleus）における時計遺伝子に影響を及ぼす結果、新生児の生物時計や睡眠覚醒リズムが崩れてしまい、健全な発育が損なわれるおそれがある。
【００５５】
このため、一日の内、一定時間のみ（例えば１２時間）、図８に示す保育器フード３に本発明の光制御シート１０を被せ、残りの時間（１２時間）は取り去ることにより、光制御シート１０を被せている間だけ、波長６５０ｎｍ以下の光を遮断する。その結果、保育器室内は、明るい状態が維持されているため、看護士の活動に何等影響を与えることはないが、保育器１内の新生児は、一定サイクルにて、実質的に夜と昼が繰り返されると同様の光環境下に置かれることになるため、新生児の生物時計や睡眠覚醒リズムが維持されることになる。
【００５６】
本発明の光制御シート１０を保育器のフード用カバーとして使用することにより、蛍光灯等の照明器具から保育器に対して照射される光の内、波長６５０ｎｍ以下、好ましくは６３０ｎｍ以下、より好ましくは６００ｎｍ以下（例えば４００〜６００ｎｍ）の光を遮断することができるため、新生児の生物時計や睡眠覚醒リズムが維持に有効なものとなる。この効果については、特開２００７−８９８２９号公報の実施例１及び試験例１により確認されている。
【符号の説明】
【００５７】
１    保育器
２    台座
３    保育器カバー
１０  光制御シート
１１  芯部材
１２  長尺状シート
【図１】
2011183024.tif 000003
【図２】
2011183024.tif 000004
【図３】
2011183024.tif 000005
【図４】
2011183024.tif 000006
【図５】
2011183024.tif 000007
【図６】
2011183024.tif 000008
【図７】
2011183024.tif 000009
【図８】
2011183024.tif 000010